(57)【特許請求の範囲】
【請求項１】
底面板１の周囲に連設した前面板２、後面板３及び一対の端面板４、４を起立させ、後面板３と各端面板４とを連結し、各端面板４の前端縁から延出した抱込片１２を、前面板２とその上端縁から下方へ向かう重合板６とで挟んで前壁２２を形成し、後面板３の上端縁に天蓋板７を開閉自在に連設し、後面板３から両端面板４、４に亘って切離帯１０を設けた包装箱において、前壁２２を切離帯１０と同じ高さとし、抱込片１２の上方で各端面板４の前端縁から前当片１３を延出し、天蓋板７の前端縁に前当片１３の外面に重なる前蓋板８を連設したことを特徴とする包装箱。
【発明の詳細な説明】
【０００１】
【発明の属する技術分野】
この発明は、商品の配送及び陳列に兼用する包装箱に関するものである。
【０００２】
【従来の技術】
従来より、この種の包装箱として、図１１に示すように、底面板５１の周囲に連設した前面板５２、後面板５３及び一対の端面板５４を起立させ、後面板５３と各端面板５４とを貼着片５５で連結し、各端面板５４の前端縁から延出した抱込片５６を、前面板５２とその上端縁から下方へ向かう重合板５７とで挟んで後面板５３及び端面板５４と同じ高さの前壁５８を形成し、後面板５３の上端縁に天蓋板５９を開閉自在に連設し、後面板５３から両端面板５４に亘って切離帯６０を設け、各端面板５４と抱込片５６との稜部に沿って切離帯６０の上方にミシン目６１を形成し、重合板５７の両端縁に連設した折返片６２を後方へ折り曲げて端面板５４の内面に沿わせたものが提案されている。
【０００３】
この包装箱は、商品を収納して天蓋板５９を閉止した状態で小売店に配送し、店頭において、切離帯６０及びミシン目６１を切断することにより、図１２に示すように、天蓋板５９と共に後面板５３及び両端面板５４の上部を除去し、箱内の商品を陳列して販売することができる。
【０００４】
【発明が解決しようとする課題】
しかしながら、上記のような包装箱では、図１２に示すように上部を除去しても、背の高い前壁５８が残るため、商品が前壁５８に遮られて見えにくいという問題がある。
【０００５】
そこで、この発明は、商品を効果的に見せて陳列できる包装箱を提供しようとするものである。
【０００６】
【課題を解決するための手段】
上記課題を解決するため、この発明は、底面板の周囲に連設した前面板、後面板及び一対の端面板を起立させ、後面板と各端面板とを連結し、各端面板の前端縁から延出した抱込片を、前面板とその上端縁から下方へ向かう重合板とで挟んで前壁を形成し、後面板の上端縁に天蓋板を開閉自在に連設し、後面板から両端面板に亘って切離帯を設けた包装箱において、前壁を切離帯と同じ高さとし、抱込片の上方で各端面板の前端縁から前当片を延出し、天蓋板の前端縁に前当片の外面に重なる前蓋板を連設したのである。
【０００７】
この包装箱では、切離帯を切断し、天蓋板及び前蓋板と共に後面板及び両端面板の上部を除去すると、残存する前壁は後面板及び両端面板の残存部分と同じ高さとなるため、陳列する商品を全周から見せることができる。
【０００８】
【発明の実施の形態】
以下、この発明の一実施形態を添付図面に基づいて説明する。なお、この例では、商品として缶ビールのマルチパックを収納する包装箱を示す。
【０００９】
図１に示すブランクは段ボールから成り、このブランクにおいて、底面板１の周縁各辺には前面板２、後面板３及び一対の端面板４が連設され、前面板２の先端縁には頂板５及び重合板６が、後面板３の先端縁には天蓋板７及び前蓋板８がそれぞれ順次連設されている。後面板３の両側縁には貼着片９が連設され、この貼着片９には、組立時にホットメルト式の接着剤９ａが塗布される。
【００１０】
後面板３、貼着片９、端面板４及び前蓋板８にはジッパ式の切離帯１０が設けられ、その切始部１１は後面板３及び前蓋板８の中央部に設けられている。この切離帯１０の下縁と前面板２とは包装箱の組立時にほぼ同じ高さとなる。端面板４の前端縁には、切離帯１０より基端側に抱込片１２が、先端側に前当片１３が連設され、この前当片１３の基端は段ボールシートの厚さ分だけ抱込片１２の基端よりも前方へ突き出している。端面板４の先端縁には天面フラップ１４が連設され、端面板４及び天面フラップ１４の後部には、底面板１の角へ向かう４５°の折目線１５が形成されている。
【００１１】
重合板６の先端縁には係合片１６が、底面板１の前縁部には前面板２との稜線に沿って係合孔１７がそれぞれ２箇所に設けられ、前蓋板８の先端縁には差込片１８が、底面板１と前面板２の稜部には差込孔１９がそれぞれ設けられている。差込孔１９の底面板１側の端縁には、開封用の指掛凹部２０が形成され、重合板６の先端縁中央部には、解体用の指掛凹部２１が形成されている。
【００１２】
上記のようなブランクを組み立てるには、図２及び図３に示すように、後面板３及び一対の端面板４を起立させ、貼着片９を端面板４に貼着する。次いで、図３に示すように、抱込片１２を内側へ折り曲げ、前面板２を起立させ、頂板５を内側へ、重合板６を下方へ順次折り曲げ、抱込片１２を前面板２と重合板６との間に挟み、係合片１６を係合孔１７に係合させて二重構造の前壁２２を形成し、前当片１３及び天面フラップ１４を内側へ折り曲げる。
【００１３】
その後、図４及び図５に示すように、マルチパックＭを底板１上に並べて箱内に収納し、天蓋板７を前方へ、前蓋板８を下方へ順次折り曲げて開口部を閉じ、差込片１８を差込孔１９に差し込んで封緘する。この包装状態において、前蓋板８が前当片１３及び前壁２２の外面に重なるので、包装箱の前角部側面に隙間ができることがない。
【００１４】
そして、このように包装して小売店へ配送したマルチパックＭを店頭で陳列する際には、図６乃至図８に示すように、切離帯１０を切始部１１を起点として切断し、天蓋板７及び前蓋板８と共に後面板３及び両端面板４、４の上部を除去する。この状態において、残存する前壁２２は後面板３及び両端面板４の残存部分と同じ高さとなるため、商品を全周から見せて陳列することができる。
【００１５】
なお、このとき、前蓋板８の切離帯１０は切断しなくても、前蓋板８は天蓋板７に繋がっているので、前蓋板８全体を天蓋板７と共に除去できる。また、前蓋板８の切離帯１０を省略してもよく、前蓋板８を短くして前当片１３にのみ重なるものとしてもよい。
【００１６】
また、この包装箱は、貼着片９を端面板４に貼着した組立過程において、図１０に示すように、端面板４及び天面フラップ１４を折目線１５沿いに折り曲げて後面板３と共に内側へ伏倒させることにより、扁平かつコンパクトに折り畳んで保管しておくことができる。
【００１７】
【発明の効果】
以上説明したように、この発明に係る包装箱では、切離帯を切断し、天蓋板及び前蓋板と共に後面板及び両端面板の上部を除去すると、残存する前壁は後面板及び両端面板の残存部分と同じ高さとなるため、箱内の商品を全周から見せて効果的に陳列できる。
【図面の簡単な説明】
【図１】この発明に係る包装箱のブランクを示す図
【図２】同上の組立過程を示す斜視図
【図３】同上の開蓋状態を示す斜視図
【図４】同上の包装状態を示す斜視図
【図５】同上の縦断側面図
【図６】同上の切断過程を前方から示す斜視図
【図７】同上の切断過程を後方から示す斜視図
【図８】同上の上部除去状態を示す分解斜視図
【図９】同上の上部除去時の商品陳列状態を示す斜視図
【図１０】同上の折畳状態を示す斜視図
【図１１】従来の包装箱の開蓋状態を示す斜視図
【図１２】同上の上部除去状態を示す分解斜視図
【符号の説明】
１  底面板
２  前面板
３  後面板
４  端面板
６  重合板
７  天蓋板
８  前蓋板
１０  切離帯
１２  抱込片
１３  前当板
２２  前壁
【図１】
0004270656.tif 000002
【図２】
0004270656.tif 000003
【図３】
0004270656.tif 000004
【図４】
0004270656.tif 000005
【図５】
0004270656.tif 000006
【図６】
0004270656.tif 000007
【図７】
0004270656.tif 000008
【図８】
0004270656.tif 000009
【図９】
0004270656.tif 000010
【図１０】
0004270656.tif 000011
【図１１】
0004270656.tif 000012
【図１２】
0004270656.tif 000013